(57)【要約】  【課題】  送信されたファイルの名称により、送信異常を容易に判別することができるネットワークスキャナを提供すること。  【解決手段】  ネットワークスキャナ１は、原稿画像を読込むための読込部３と、読込んだ原稿画像を記憶する画像記憶部４と、利用者が操作を行う操作部５と、ネットワークスキャナ１を制御する制御部２と、作成されたファイルを指定されている宛先へ送信するネットワークインターフェース６とを備えている。ファイル送信モードは、原稿１ページ毎にファイルとして送信するページモードと、原稿の全ページを１つのファイルとして送信するトータルモードとがある。ページモードが設定されているとき、読込みの逆の順序で画像記憶部４から１ページずつ原稿画像を読み出し、読み出した原稿画像に最終ページから最初の１ページに向って１ずつ減少する数値を含むファイル名が作成される。【選択図】        図３
2007006027.tif 000002
【特許請求の範囲】
【請求項１】
原稿画像を読込み、読込んだ原稿画像をファイルとして、指定されたパーソナルコンピュータ等へ通信回路を介して送信するネットワークスキャナであって、
原稿の画像を読込むための読込部と、
上記読込部で読込んだ原稿画像を記憶する画像記憶手段と、
原稿１ページ毎にファイルとして送信するページモードか、原稿の全ページを１つのファイルとして送信するトータルモードかのいずれのモードが設定されているかを判別するモード判別手段と、
上記モード判別手段が上記ページモードであると判別したことに基づいて、読込みの逆の順序で画像記憶手段から１ページずつ原稿画像を読み出し、読み出した原稿画像に最終ページから最初の１ページに向って１ずつ減少する数値が含まれたファイル名を付与してファイルを作成するファイル作成手段と、
作成されたファイルを作成順に指定されている宛先へ送信する送信手段と、を含むことを特徴とするネットワークスキャナ。
【発明の詳細な説明】
【技術分野】
【０００１】
この発明は、原稿画像を読込み、読込んだ原稿画像をファイルとして、指定されたパーソナルコンピュータ等へ通信回路を介して送信するネットワークスキャナに関する。
【背景技術】
【０００２】
複数ページの原稿を読込み、ファイル化し、ネットワークに接続されたパーソナルコンピュータにファイル化した画像データを送信するネットワークスキャナが公知である。このようなネットワークスキャナでは、画像データをファイル化する際、ファイル名を付ける。
たとえば、特許文献１の装置におけるファイル名称設定方法では、１頁毎の読み取り原稿画像の出力に対し、ユーザが設定したファイル名称に、原稿のページに対応した連続番号が付けられる。そして、各画像データの内容の共通性などをファイル名称から明確に認識できるようにしている。
【特許文献１】特開２００４−３５７２４１号公報
【発明の開示】
【発明が解決しようとする課題】
【０００３】
ところで、特許文献１の１頁毎の読み取り原稿画像の出力の際、連続番号が付与された各ファイルの送信途中において何らかのアクシデントが発生し、ファイルの送信が正常に行われないことが考えられる。たとえば、全部で２０枚のファイルを送信している途中の１０枚目までが正常に送信された後、ネットワーク回線にアクシデントが発生して、１１枚目から２０枚目のファイルがパーソナルコンピュータに届かなかったとする。このとき、ファイル名に１から１０までの番号がそれぞれに付与されている１０枚のファイルが、パーソナルコンピュータ上に保存されている。パーソナルコンピュータ上からは送信異常を認識する術がないので、利用者は、保存されたファイルの中で最大の番号“１０”が付与されたファイル名により、総枚数１０枚のファイルが正常に送信された、と勘違いをするおそれがある。
【０００４】
この発明は、このような背景のもとになされたもので、送信されたファイルの名称により、送信異常を容易に判別することができるネットワークスキャナを提供することを目的とする。
【課題を解決するための手段】
【０００５】
上記の目的を達成するための請求項１記載の発明は、原稿画像を読込み、読込んだ原稿画像をファイルとして、指定されたパーソナルコンピュータ等へ通信回路を介して送信するネットワークスキャナであって、原稿の画像を読込むための読込部と、上記読込部で読込んだ原稿画像を記憶する画像記憶手段と、原稿１ページ毎にファイルとして送信するページモードか、原稿の全ページを１つのファイルとして送信するトータルモードかのいずれのモードが設定されているかを判別するモード判別手段と、上記モード判別手段が上記ページモードであると判別したことに基づいて、読込みの逆の順序で画像記憶手段から１ページずつ原稿画像を読み出し、読み出した原稿画像に最終ページから最初の１ページに向って１ずつ減少する数値が含まれたファイル名を付与してファイルを作成するファイル作成手段と、作成されたファイルを作成順に指定されている宛先へ送信する送信手段とを含むことを特徴とするネットワークスキャナである。
【０００６】
この構成によれば、読み出した原稿画像に対し、ファイル作成手段により、最終ページから最初の１ページに向って１ずつ減少する数値が含まれたファイル名が付けられる。すなわち、ネットワークスキャナにより読込まれた原稿画像データがパーソナルコンピュータなどに送信される際、原稿画像ファイルに変換され、ファイル作成手段によって、特定のファイル名が付与される。このファイル名には、読み出した原稿画像に最終ページから最初の１ページに向って１ずつ減少する数値が付与される。そして、最初に送信されるファイルは、最後のページ数を含むファイル名が付いており、送信ファイル順にそのページ数が減っていく。よって、パーソナルコンピュータ側では、最初に受信したファイル名から、全部で何枚のファイルが送付されたのかを知ることができる。そして、途中のいくつかのファイルが届かないとか、最後のページ番号からページ番号“１”までの連続する番号が付与されたファイルが保存されていない場合、利用者は、ネットワーク回線などの不具合が起こっていることを容易に判別することができる。
【発明を実施するための最良の形態】
【０００７】
以下では、この発明の実施の形態を、添付図面を参照して詳細に説明する。
以下の実施形態は、画像処理装置として多数の機能を実行することのできる複合機（以下ＭＦＰ（Multi Function Peripheral）という。）をネットワークスキャナとして用いる場合を取り上げて説明する。
図１は、この発明の一実施形態に係るＭＦＰ１の構成を示すブロック図である。
【０００８】
ＭＦＰ１には、制御部２、画像読込部３、画像記憶手段としての画像記憶部４、操作部５、および、ネットワークインターフェース６が含まれている。
操作部５は、タッチパネルやボタンなどを有し、利用者に操作されることにより、ＭＦＰ１の操作を行う部分である。操作部５によって、利用者は、画像読込部３で読込んだ原稿画像を、原稿１ページ毎にファイルとして送信するページモード、または、原稿の全ページを１つのファイルとして送信するトータルモードのいずれかをファイル送信モードとして設定できる。
【０００９】
制御部２は、ＭＦＰ１全体を制御している制御中枢としてのＣＰＵ（図示せず）やＭＦＰ１全体を制御するための制御プログラムを格納している不揮発性のメモリ（図示せず）などを備えている。
画像読込部３は、スキャナを備え、当該スキャナにより原稿画像を読込む。そして、読込んだ原稿画像データを画像記憶部４に送る。
【００１０】
画像記憶部４は、原稿画像データを、一時的に保存する。そして、画像記憶部４に保存されている原稿画像データは、制御部２の指示により読み出される。読み出された原稿画像データには、ファイル送信モードに対応したファイル名が付与され、ファイルとしてネットワークインターフェース６からネットワーク回線８を経由してパーソナルコンピュータ９に送信される。
【００１１】
図２は、ページモードが設定されているときに、原稿画像ファイルに付与されるファイル名を説明するための図である。
制御部２は、ファイル作成手段として、送信する原稿画像データをファイル化し、ファイル名を付けることができる。一例として、ファイル名は、“Ｓｃａｎ１５８”という画像データを特定するためのユニークな名称と、“００２３”，“００２２”，・・・，“０００２”，“０００１” というページ番号と、“ｐｄｆ”というファイル形式を示す拡張子とを有する名称とすることができる。
【００１２】
図３は、図１に示すＭＦＰ１の動作を説明するフローチャートである。図３の流れに従って、この実施形態におけるファイル作成およびファイル送信の制御動作を説明する。
まず、制御部２により、原稿画像の読込みの設定が行われる（ステップＳ１）。画像読込みの設定では、利用者により入力されたファイルの送信モードや画像読込みのモードなどの設定が行われる。このファイルの送信モードとは、原稿１ページ毎にファイルとして送信するページモードか、原稿の全ページを１つのファイルとして送信するトータルモードかのいずれかのモードのことを指す。
【００１３】
次に、制御部２は、操作部５により、利用者からの画像読込の開始指示の信号が送られているかを確認する（ステップＳ２）。画像読込みの開始指示があったとき（ステップＳ２でＹｅｓ）、フローチャートはステップＳ３に進む。
次に、制御部２は、画像読込部３にセットされた１ページ目の原稿の読込みを行い（ステップＳ３）、それを原稿画像データとして画像記憶部４に一時保存する（ステップＳ４）。そして、ページカウンタの値を１増加する（ステップＳ５）。
【００１４】
次に、制御部２は、画像読込部３にセットされた次の原稿（２ページ目以降の原稿）があるかどうかを確認する（ステップＳ６）。次の原稿があれば（ステップＳ６でＹｅｓ）、ステップＳ３に戻り、次ページの原稿の読込みを行う。そして、ステップＳ３からステップＳ６までを、画像読込部３にセットされた原稿がなくなるまで、繰り返し行う。よって、ステップＳ５のページカウンタは、読込んだ原稿の枚数を計数している。
【００１５】
一方、画像読込部３にセットされた原稿がなくなれば（ステップＳ６でＮｏ）、フローチャートは、ステップＳ７に進む。
このようにして、図２の例で言えば、１ページ目から２３ページ目までの原稿画像が、順に画像読込部３で読込まれ、画像記憶部４に保存される。
次に、制御部２は、ページカウンタの値をトータルカウンタに記憶させる（ステップＳ７）。図２の例で言えば、ページカウンタの値は“２３”なので、トータルカウンタに“２３”が記憶される。このトータルカウンタの値は、画像記憶部４に保存されている原稿画像データの数を示している。
【００１６】
次に、制御部２は、利用者がページモードかトータルモードかのいずれのモードを設定したかを確認する（ステップＳ８）。ページモードが選択されているとき（ステップＳ８でＹｅｓ）、フローチャートはステップＳ９に進む。
次に、制御部２は、画像記憶部４から、読込みの逆の順序で１ページ目の原稿画像データを読み出す（ステップＳ９）。図２の例で言えば、このときのトータルカウンタの値は、“２３”である。そこで、ファイル作成手段により、トータルカウンタの値“２３”を用いてファイル名を作成する（ステップＳ１０）。具体的には、 “Ｓｃａｎ１５８”という画像データを特定するためのユニークな名称と、“００２３”というページ番号としてのトータルカウンタの値と、“ｐｄｆ”というファイル形式を示す拡張子とを用いて、ファイル名“Scan158_0023.pdf”を作成する。
【００１７】
次に、制御部２は、ステップＳ９で読み出された原稿画像データを、指定されたファイル形式の原稿画像ファイルに変換し（ステップＳ１１）、ステップＳ１０で作成したファイル名“Scan158_0023.pdf”を付与する。そして、ネットワークインターフェース６およびネットワーク回線８を経由して、“Scan158_0023.pdf”と付与された原稿画像ファイルを指定された宛先のパーソナルコンピュータ９に送信する（ステップＳ１２）。
【００１８】
次に、制御部２は、トータルカウンタの値を１減らす（ステップＳ１３）。図２の例で言えば、ステップＳ１３により、トータルカウンタの値が“２３”から“２２”になる。そして、トータルカウンタの値が“０”と等しいかどうかを確認する（ステップＳ１４）。このときのトータルカウンタの値“２２”は、“０”でないから（ステップＳ１４でＮｏ）、フローチャートはステップＳ９に戻る。
【００１９】
同様の処理により、制御部２は、ステップＳ９からＳ１４までを、トータルカウンタの値が“０”になるまで行う。図２の例で言えば、２２回目のステップＳ１４において、トータルカウンタの値“１”が“０”になっていないので、フローチャートは２３回目のステップＳ９に戻る。そして、この時点までに、パーソナルコンピュータ９に向けて、“Scan158_0023.pdf”から“Scan158_0002.pdf”までのファイル名が付与された原稿画像ファイルが順に送信されている。
【００２０】
次に、制御部２は、画像記憶部４から、読込みの逆の順序で１ページ分の原稿画像データを読み出す（ステップＳ９）。図２の例で言えば、このときのトータルカウンタの値は“１”である。そこで、ファイル作成手段により、トータルカウンタの値“１”を用いてファイル名“Scan158_0001.pdf”を作成する（ステップＳ１０）。
次に、制御部２は、ステップＳ９で読み出された原稿画像データを、指定されたファイル形式の原稿画像ファイルに変換し（ステップＳ１１）、ステップＳ１０で作成したファイル名“Scan158_0001.pdf”を付与する。そして、ネットワークインターフェース６およびネットワーク回線８を経由して、“Scan158_0001.pdf”と付与された原稿画像ファイルを指定された宛先のパーソナルコンピュータ９に送信する（ステップＳ１２）。
【００２１】
次に、制御部２は、トータルカウンタの値を１減らし（ステップＳ１３）、トータルカウンタの値が“０”と等しいかどうかを確認する（ステップＳ１４）。このとき、ステップＳ１３により、トータルカウンタの値が、“１”から“０”となっているので（ステップＳ１４でＹｅｓ）、フローチャートは処理を終える。
一方、ステップＳ８において、トータルモードが選択されているとき（ステップＳ８でＮｏ）、読込んだ原稿画像データの全部を１つの原稿画像ファイルとして変換し、ネットワークインターフェース６およびネットワーク回線８を経由し、パーソナルコンピュータ９に送信する（ステップＳ１５）。
【００２２】
ところで、ネットワーク回線の不具合などにより、一連のページ番号途中の原稿画像ファイル、たとえば、１４番目に送信される“Scan158_0010.pdf”から最後に送信される“Scan158_0001.pdf”までのファイル、が届かなかったとする。このとき、パーソナルコンピュータ９上には、送信順にファイル名“Scan158_0023.pdf”から“Scan158_0011.pdf”までのファイルが送信され保存されていることから、利用者は、最初に受信したファイル名“Scan158_0023.pdf”から、全部で２３枚のファイルが送信されたことを知ることができる。そして、１４番目以降に送信されたファイルが、何らかのアクシデントにより保存されなかった、と容易に判別することができる。これにより、最後のページ番号からページ番号“１”までの連続する番号が付与されたファイルが保存されなかった場合、利用者は、ネットワーク回線などの不具合が起こっていることを容易に判別することができる。また、利用者は、どのページ番号のファイルが受信できなかったかを、パーソナルコンピュータ上に保存されているファイルのファイル名を見ることで、容易に認識することができる。そして、必要に応じ、送信されなかった残りの原稿を送るよう操作することができる。
【００２３】
なお、ファイルの名称として、上記の例では、“Ｓｃａｎ１５８”という名称を用いたが、利用者による所望の文字列（たとえば、“ＡＢＣ１２３”）の設定を受け付けることで、制御部２は、この“ＡＢＣ１２３”を用いて、“ABC123_0023.pdf”のようなファイル名を作成してもよい。このとき、ＭＦＰ１からパーソナルコンピュータ９に原稿画像ファイルが送信され保存が完了した時点で、ファイル名は利用者が希望するファイル名となっている。よって、利用者は、送信後のファイルの名称を所望の名称に変更する手間が省ける。
【００２４】
以上の説明では、ＭＦＰ１に備えられている操作部５を用いて、ＭＦＰ１本体においてファイル作成の処理が行われる例を説明した。しかし、これに代え、ネットワーク回線８に接続されているパーソナルコンピュータ９から、画像読込みの際の、上述のユニークなファイル名称の設定などの設定や指示を行うこともできる。
その場合、図３のフローチャートにおける、ステップＳ１の「原稿画像読取設定」、および、ステップＳ２の「読込み開始指示」を、パーソナルコンピュータ９からＭＦＰ１にネットワーク回線８およびネットワークインターフェース６経由で実行させ、その他のステップは、全てＭＦＰ１上で行うようにすればよい。
【００２５】
その他、特許請求の範囲に記載された事項の範囲で種々の設計変更を施すことが可能である。
【図面の簡単な説明】
【００２６】
【図１】この発明の一実施形態に係るＭＦＰの構成を示すブロック図である。
【図２】ページモードが設定されているときに、原稿画像ファイルに付与されるファイル名を説明するための図である。
【図３】図１に示すＭＦＰの動作を説明するフローチャートである。
【符号の説明】
【００２７】
１    ＭＦＰ（ネットワークスキャナ）
２    制御部
３    画像読込部
４    画像記憶部（画像記憶手段）
５    操作部
６    ネットワークインターフェース
８    ネットワーク回線
９    パーソナルコンピュータ
【図１】
2007006027.tif 000003
【図２】
2007006027.tif 000004
【図３】
2007006027.tif 000005